(57)【要約】【課題】測定器の収容およびテストリードの保持を行う際の作業性を向上させる。【解決手段】測定器を収容する収容部５１の隅部５２ａにおける底壁１１に設けられた第１貫通孔１４ａと側壁１２に設けられた第２貫通孔１４ｂとで測定器に接続されたテストリードのケーブルを挿通可能な挿通孔１４が形成された本体部２と、一端部３ａが挿通孔１４に近接した状態で底壁１１の外面１１ｂに立設されてケーブルを巻き付け可能な巻き付け部３とを備え、巻き付け部３は、側面３ｃの一端部３ａ側から側面３ｄの他端部３ｂ側に向けて形成された切り欠き３ｅによって分割された第１巻き付け部２１および第２巻き付け部２２を備えると共に両側面３ｃ，３ｄ間を斜めに横断する状態でケーブルを切り欠き３ｅ内に配置可能に構成され、側壁１２の外面１２ｂにおける第２貫通孔１４ｂの縁部と切り欠き３ｅとの間に案内溝１５が形成されている。【選択図】図４
2010286348.tif 000002
【特許請求の範囲】
【請求項１】
測定器を収容すると共に当該測定器に接続されたテストリードを保持する測定器用ホルダであって、
略長方形状の底壁と当該底壁の外周縁部に立設された側壁とによって形成される収容部に前記測定器を収容すると共に当該収容部の隅部における当該底壁に設けられた第１の孔と当該側壁に設けられて前記第１の孔に繋がる第２の孔とで前記テストリードのケーブルを挿通可能な挿通孔が形成された本体部と、
一端部が前記挿通孔に近接した状態で前記底壁の長手方向に沿って当該底壁の外面に立設されて、前記ケーブルを巻き付け可能に構成されたリブ状の巻き付け部と、
前記巻き付け部に隣接した状態で前記底壁の外面に配設されて前記テストリードの接触端子を保持する第１の端子保持部とを備え、
前記巻き付け部は、前記挿通孔側に位置する一方の側面における前記一端部側から他方の側面における当該巻き付け部の他端部側に向けて形成された切り欠きによって分割された第１および第２の半体部を備えると共に当該両側面間を斜めに横断する状態で前記ケーブルを当該切り欠き内に配置可能に構成され、
前記側壁の外面における前記第２の孔の縁部と前記切り欠きとの間に案内溝が形成されている測定器用ホルダ。
【請求項２】
巻き付けられた前記ケーブルの脱落を防止可能なフランジが前記巻き付け部の上端部に配設されている請求項１記載の測定器用ホルダ。
【請求項３】
ケーブル保護用の保護壁が前記側壁の外面における前記第２の孔の縁部に配設されている請求項１または２記載の測定器用ホルダ。
【請求項４】
前記接触端子の先端部を当該測定器用ホルダから突出させた状態で当該接触端子を保持する第２の端子保持部が前記底壁の外面に配設されている請求項１から３のいずれかに記載の測定器用ホルダ。
【発明の詳細な説明】
【技術分野】
【０００１】
本発明は、測定器を収容すると共に測定器に接続されたテストリードを保持する測定器用ホルダに関するものである。
【背景技術】
【０００２】
携帯型の測定器をテストリードと共に持ち運ぶ際に用いる手段として、特開平１０−２０６４６１号公報において出願人が開示したケースが知られている。このケースは、測定器（回路計）を収納すると共に、テストリードを測定器に接続した状態のままで収納可能に構成されている。この場合、テストリードを収納する際には、テストリードのケーブル（コード）をケースの底板に巻き付けて、テストリードのプローブ部（接触ピンを有する把持用本体部）をケースの収納部に収納する。また、出願人は、特開２００１−７４７７３号公報において、裏面側に突起部を配設した携帯用測定器を開示している。この携帯用測定器では、接続されているケーブル（コード）を突起部に巻き付けることにより、プローブ部（テストリード棒）とケーブルとを携帯用測定器の裏面側に収納することが可能となっている。
【先行技術文献】
【特許文献】
【０００３】
【特許文献１】特開平１０−２０６４６１号公報（第３頁、第１−３図）
【特許文献１】特開２００１−７４７７３号公報（第３−４頁、第１−６図）
【発明の概要】
【発明が解決しようとする課題】
【０００４】
ところが、上記したケースや携帯用測定器には、解決すべき以下の課題がある。すなわち、上記したケースや携帯用測定器では、ケーブルを底板や突起部に巻き付けてプローブ部を収納している。この場合、上記のケースに収納される測定器や上記の携帯用測定器に接続されるケーブルは、弛みが生じないように予め決められた巻き方向（右巻きまたは左巻き）で底板や突起部に１回または複数回巻き付けたときに、プローブ部が収納部の所定位置に所定の向きで収納されるように、その長さが調整されている。しかしながら、上記のケースや携帯用測定器では、底板や突起部に対してケーブルをいずれの巻き方向にも巻き付けることが可能なため、例えば、左巻きで巻き付けることを前提にして長さが調整されているケーブルを右巻きで巻き付けたときには、プローブ部の向きが逆向きとなったり、ケーブルの長さが足らずにプローブ部が収納部の所定位置に届かなかったり、その逆にケーブルに余りが生じたりすることがあり、このようなときには、ケーブルを逆の巻き方向（逆巻き）で巻き直す無駄な作業が発生することとなる。このため、このような無駄な作業の発生を防止して作業性の向上が可能な手段の開発が望まれている。
【０００５】
本発明は、かかる問題点に鑑みてなされたものであり、測定器の収容およびテストリードの保持を行う際の作業性を向上し得る測定器用ホルダを提供することを主目的とする。
【課題を解決するための手段】
【０００６】
上記目的を達成すべく請求項１記載の測定器用ホルダは、測定器を収容すると共に当該測定器に接続されたテストリードを保持する測定器用ホルダであって、略長方形状の底壁と当該底壁の外周縁部に立設された側壁とによって形成される収容部に前記測定器を収容すると共に当該収容部の隅部における当該底壁に設けられた第１の孔と当該側壁に設けられて前記第１の孔に繋がる第２の孔とで前記テストリードのケーブルを挿通可能な挿通孔が形成された本体部と、一端部が前記挿通孔に近接した状態で前記底壁の長手方向に沿って当該底壁の外面に立設されて、前記ケーブルを巻き付け可能に構成されたリブ状の巻き付け部と、前記巻き付け部に隣接した状態で前記底壁の外面に配設されて前記テストリードの接触端子を保持する第１の端子保持部とを備え、前記巻き付け部は、前記挿通孔側に位置する一方の側面における前記一端部側から他方の側面における当該巻き付け部の他端部側に向けて形成された切り欠きによって分割された第１および第２の半体部を備えると共に当該両側面間を斜めに横断する状態で前記ケーブルを当該切り欠き内に配置可能に構成され、前記側壁の外面における前記第２の孔の縁部と前記切り欠きとの間に案内溝が形成されている。
【０００７】
また、請求項２記載の測定器用ホルダは、請求項１記載の測定器用ホルダにおいて、巻き付けられた前記ケーブルの脱落を防止可能なフランジが前記巻き付け部の上端部に配設されている。
【０００８】
また、請求項３記載の測定器用ホルダは、請求項１または２記載の測定器用ホルダにおいて、ケーブル保護用の保護壁が前記側壁の外面における前記第２の孔の縁部に配設されている。
【０００９】
また、請求項４記載の測定器用ホルダは、請求項１から３のいずれかに記載の測定器用ホルダにおいて、前記接触端子の先端部を当該測定器用ホルダから突出させた状態で当該接触端子を保持する第２の端子保持部が前記底壁の外面に配設されている。
【発明の効果】
【００１０】
請求項１記載の測定器用ホルダでは、挿通孔側に位置する一方の側面における一端部側から他方の側面における巻き付け部の他端部側に向けて形成されて両側面間を斜めに横断する状態でケーブルを配置可能な切り欠きによって分割された第１および第２の半体部を備えて巻き付け部が構成され、第２の孔の縁部と切り欠きとの間に案内溝が形成されている。このため、この測定器用ホルダでは、ケーブルの巻始めにおいて、ケーブルを案内溝に沿わせることで、巻き付け部を斜めに横断させてケーブルを巻き付け部における他方の側面の他端部側に到達させることができる。したがって、ケーブルを巻き付け部に巻き付ける際の巻き方向が、ケーブルの長さを規定する際に前提とした巻き方向（例えば左巻き）に自然に定まって、逆の巻き方向（例えば右巻き）での巻き付けが行われる事態を確実に防止することができる。この結果、ケーブルの長さ不足や余りを生じさせることなく、接触端子を第１の端子保持部に確実に保持させることができる。したがって、この測定器用ホルダによれば、巻き方向の誤りに起因してケーブルを巻き直す無駄な作業の発生を確実に防止することができるため、測定器の収容およびテストリードの保持を行う際の作業性を十分に向上することができる。
【００１１】
また、請求項２記載の測定器用ホルダによれば、巻き付け部の上端部にフランジを配設したことにより、巻き付け部に巻き付けたケーブルの脱落を確実に防止することができる。
【００１２】
また、請求項３記載の測定器用ホルダによれば、ケーブル保護用の保護壁を側壁の外面における第２の孔の縁部に配設したことにより、挿通孔に挿通されて側壁の外面側に露出したケーブルを確実に保護することができる。
【００１３】
さらに、請求項４記載の測定器用ホルダによれば、接触端子の先端部を測定器用ホルダから突出させた状態で接触端子を保持する第２の端子保持部を底壁の外面に配設したことにより、測定器が収容されている測定器用ホルダを持つ一方の手で測定対象体に対して一方の接触端子の先端部を接触させることができるため、測定時の操作性を十分に高めることができる。
【図面の簡単な説明】
【００１４】
【図１】収容部５１側から見た測定器用ホルダ１の斜視図である。
【図２】第１プローブ保持部４側から見た測定器用ホルダ１の斜視図である。
【図３】収容部５１側から見た測定器用ホルダ１の平面図である。
【図４】第１プローブ保持部４側から見た測定器用ホルダ１の底面図である。
【図５】挿通孔１４側から見た測定器用ホルダ１の側面図である。
【図６】第１保持片３１側から見た測定器用ホルダ１の側面図である。
【図７】測定器１００およびテストリード１１０の構成を示す斜視図である。
【図８】測定器用ホルダ１の使用方法を説明する第１の説明図である。
【図９】測定器用ホルダ１の使用方法を説明する第２の説明図である。
【図１０】測定器用ホルダ１の使用方法を説明する第３の説明図である。
【図１１】測定器用ホルダ１の使用方法を説明する第４の説明図である。
【図１２】測定器用ホルダ１の使用方法を説明する第５の説明図である。
【発明を実施するための形態】
【００１５】
以下、本発明に係る測定器用ホルダの実施の形態について、添付図面を参照して説明する。
【００１６】
最初に、測定器用ホルダ１の構成について説明する。図１，２に示す測定器用ホルダ１は、本発明に係る測定器用ホルダの一例であって、測定器１００（図７参照）を収容すると共に測定器１００に接続されているテストリード１１０（同図参照）を保持可能に構成されている。この場合、測定器１００は、一例として、電圧、電流および抵抗などの電気的物理量を測定する携帯型の小形測定器であって、同図に示すように、測定モード切り替え用のダイヤル１０１や測定値を表示する表示部１０２を備えて構成されている。また、テストリード１１０は上記の電気的物理量を測定する際に、測定対象体に接触されるテストリードであって、一端部１１１ａが測定器１００に接続される２本のケーブル１１１と、各ケーブル１１１の他端部１１１ｂにそれぞれ接続された２本のプローブ部１１２（接触端子の一例）とを備えて構成されている。また、プローブ部１１２は、絶縁材料で形成された本体部１１２ａと測定対象体に接触される金属製のプローブピン１１２ｂとを備えて構成されている。この場合、ケーブル１１１は、後述する測定器用ホルダ１の巻き付け部３に複数回巻き付けた状態において、後述する測定器用ホルダ１の第１プローブ保持部（第１の端子保持部）４の配設位置にプローブ部１１２が位置するように、その長さが調整されている。
【００１７】
一方、測定器用ホルダ１は、図１〜図４に示すように、本体部２、巻き付け部３、第１プローブ保持部４および第２プローブ保持部（第２の端子保持部）５を備えて構成されている。本体部２は、略矩形の底壁１１と、底壁１１の外周縁部に立設された側壁１２とを備えて、底壁１１の内面１１ａと側壁１２の内面１２ａとによって形成された平面視略矩形の収容部５１（図１，３参照）に測定器１００を嵌め込ませて収容可能に構成されている。また、図３，４に示すように、収容部５１の４つの隅部５２ａ〜５２ｄの１つ（例えば、隅部５２ａ）における底壁１１には、内面１１ａから外面１１ｂまで貫通する第１貫通孔（第１の孔）１４ａが設けられている。この場合、第１貫通孔１４ａの大きさは、テストリード１１０のプローブ部１１２を挿通可能な大きさに規定されている。また、隅部５２ａにおける側壁１２には、内面１２ａ側から外面１２ｂ側まで貫通して第１貫通孔１４ａに繋がる第２貫通孔（第２の孔）１４ｂが第１貫通孔１４ａと一体的に設けられている。この場合、第１貫通孔１４ａと第２貫通孔１４ｂとによって、テストリード１１０のケーブル１１１を挿通可能な挿通孔１４が形成される。
【００１８】
また、図４，５に示すように、側壁１２の外面１２ｂおよび底壁１１の外面１１ｂには、外面１２ｂにおける第２貫通孔１４ｂの縁部と後述する巻き付け部３の切り欠き３ｅとの間を繋ぐ案内溝１５が形成されている。この場合、この案内溝１５は、挿通孔１４に挿通されたテストリード１１０のケーブル１１１を切り欠き３ｅに案内する機能を有している（図９参照）。また、図３〜図５に示すように、側壁１２の外面１２ｂにおける第２貫通孔１４ｂの縁部には、挿通孔１４に挿通されて外面１２ｂ側に露出したケーブル１１１（図９参照）を保護するケーブル保護用の保護壁１６が配設されている。
【００１９】
巻き付け部３は、図４，６に示すように、リブ状に形成されると共に、一端部３ａが挿通孔１４に近接した状態で底壁１１の長手方向（図４における左右方向）に沿って底壁１１の外面１１ｂに立設されて、挿通孔１４に挿通されたテストリード１１０のケーブル１１１を巻き付け可能に構成されている。また、巻き付け部３は、同図に示すように、挿通孔１４側に位置する一方の側面３ｃにおける一端部３ａ側から他方の側面３ｄにおける他端部３ｂ側に向けて形成された切り欠き３ｅによって分割された第１巻き付け部（第１の半体部）２１および第２巻き付け部（第２の半体部）２２を備えている。この場合、この測定器用ホルダ１では、上記両側面側面３ｃ，３ｄ間を斜めに横断する状態でケーブル１１１を切り欠き３ｅ内に配置することが可能となっている。また、図４〜図６に示すように、巻き付け部３（第１巻き付け部２１および第２巻き付け部２２）の上端部（先端部）には、巻き付けられたケーブル１１１の脱落を防止可能なフランジ２３がそれぞれ配設されている。
【００２０】
第１プローブ保持部４は、図２，４に示すように、巻き付け部３に隣接した状態で底壁１１の外面１１ｂに配設された第１保持片３１および第２保持片３２を備えて構成されて、テストリード１１０のプローブ部１１２を保持する。この場合、第１保持片３１は、２つの凹部３１ａを有して構成され、この凹部３１ａに嵌め込まれた各プローブ部１１２における各本体部１１２ａの基端部１２１側を保持する（図１１参照）。また、第２保持片３２は、２つの爪部３２ａを備えて構成され、この２つの爪部３２ａの間に嵌め込まれた各プローブ部１１２における各本体部１１２ａの先端部１２２側を保持する。
【００２１】
第２プローブ保持部５は、底壁１１の外面１１ｂにおける第１プローブ保持部４の第２保持片３２に近接する位置に配設されている。この場合、第２プローブ保持部５は、プローブ部１１２における本体部１１２ａの基端部１２１を挿入可能な挿入部５ａを有して構成され、本体部２からプローブピン１１２ｂ（先端部）を突出させた状態のプローブ部１１２を保持する。
【００２２】
この場合、この測定器用ホルダ１は、一例として、弾性および柔軟性を有する材料（例えば、エラストマーやゴム）によって形成されている。このため、測定器用ホルダ１は、収容した測定器１００を衝撃から保護して、測定器１００の破損や故障を防止することが可能となっている。
【００２３】
次に、測定器用ホルダ１の使用方法について、図面を参照して説明する。
【００２４】
この測定器用ホルダ１は、測定器１００を収容すると共に、測定器１００に接続されたテストリード１１０を保持させた状態で保管または持ち運ぶ際に用いられる。この場合、測定器用ホルダ１に測定器１００を収容する際には、図７に示すように、テストリード１１０におけるケーブル１１１の一端部１１１ａを測定器１００に接続し、次いで、ケーブル１１１の他端部１１１ｂに接続されているテストリード１１０のプローブ部１１２を、本体部２における収容部５１側（底壁１１の内面１１ａ側）から収容部５１の隅部５２ａに形成されている挿通孔１４（具体的には、第１貫通孔１４ａ）に挿入する。続いて、本体部２における底壁１１の外面１１ｂ側からプローブ部１１２を引き出して、プローブ部１１２およびプローブ部１１２に接続されているケーブル１１１を挿通孔１４に挿通させる。
【００２５】
次いで、図８に示すように、ダイヤル１０１および表示部１０２を表側にした状態で、測定器１００を本体部２の収容部５１に嵌め込むようにして収容させる。続いて、テストリード１１０のケーブル１１１を巻き付け部３に巻き付ける。具体的には、まず、弛みが生じないようにケーブル１１１を引っ張った状態で、図９に示すように、本体部２に形成されている案内溝１５にケーブル１１１の一端部１１１ａ側を押し付けて、次いで、巻き付け部３の切り欠き３ｅ内にケーブル１１１を配置する（ケーブル１１１を切り欠き３ｅに嵌め込む）。これにより、図１０に示すように、ケーブル１１１が巻き付け部３の両側面側面３ｃ，３ｄ間を斜めに横断させられて側面３ｄの他端部３ｂ側に到達する。続いて、同図に示すように、ケーブル１１１を左回りに旋回させて、第２巻き付け部２２の側面３ｄ、第２巻き付け部２２の側面３ｃ、第１巻き付け部２１の側面３ｃ、第１巻き付け部２１の側面３ｄの順に、各側面に押し付けるようにしてケーブル１１１を巻き付け部３に巻き付ける。次いで、同様にして、ケーブル１１１を左回りに数回旋回させて、ケーブル１１１のほぼ全てを巻き付け部３に巻き付ける。
【００２６】
続いて、テストリード１１０のプローブ部１１２を第１プローブ保持部４に保持させる。具体的には、図１１に示すように、プローブ部１１２における各本体部１１２ａの基端部１２１側を第１保持片３１の２つの凹部３１ａにそれぞれ嵌め込んで基端部１２１側を第１保持片３１に保持させると共に、各本体部１１２ａの先端部１２２側を第２保持片３２の２つの爪部３２ａの間に嵌め込んで先端部１２２側を第２保持片３２に保持させる。以上により、測定器用ホルダ１への測定器１００の収容、および測定器用ホルダ１へのテストリード１１０の保持が完了する。
【００２７】
この場合、この測定器用ホルダ１では、挿通孔１４の縁部から巻き付け部３の切り欠き３ｅに繋がる案内溝１５が形成されているため、巻始めにおいてケーブル１１１を案内溝１５に沿わせることで、ケーブル１１１が切り欠き３ｅに案内される。また、切り欠き３ｅにケーブル１１１を嵌め込むことで、ケーブル１１１が巻き付け部３を斜めに横断させられて巻き付け部３における側面３ｄの他端部３ｂ側に到達するため、ケーブル１１１を巻き付け部３に巻き付ける際の巻き方向が、ケーブル１１１の長さを規定する際に前提とした左巻きに自然に定まって、逆巻き（右巻き）での巻き付けが行われる事態が確実に防止される。この結果、ケーブル１１１の長さ不足や余りが生じることなく、プローブ部１１２を第１プローブ保持部４に確実に保持させることができる。
【００２８】
一方、この測定器用ホルダ１は、本体部２の収容部５１に測定器１００を収容した状態のまま測定を行うことが可能となっている。この場合、この状態で測定を行う際には、まず、上記のようにして、第１プローブ保持部４に保持させたプローブ部１１２を、第１プローブ保持部４から取り外す。次いで、巻き付け部３に巻き付けられているケーブル１１１を、巻き付けの際とは逆の向き（右回り）に旋回させて巻き付け部３から取り外す。続いて、測定器１００におけるダイヤル１０１を操作すると共に、プローブ部１１２のプローブピン１１２ｂを測定対象体に接触させて測定を行う。
【００２９】
ここで、この測定器用ホルダ１では、図１２に示すように、第２プローブ保持部５を用いることで、プローブピン１１２ｂを測定器用ホルダ１から突出させた状態でプローブ部１１２を保持させることができる。この場合、この状態で、測定を行う際には、測定器１００が収容されている測定器用ホルダ１を持つ一方の手で測定対象体に対して一方のプローブピン１１２ｂを接触させることができるため、測定時の操作性を十分に高めることができる。
【００３０】
次に、測定が終了して、測定器１００を持ち運ぶ際には、上記した手順で、巻き付け部３にケーブル１１１を巻き付けると共に、プローブ部１１２を第１プローブ保持部４に保持させる。この場合、上記したように、巻き付け部３に対するケーブル１１１の逆巻きでの巻き付けが確実に防止されるため、ケーブル１１１を巻き直す無駄な作業の発生が防止される結果、測定器１００の収容およびテストリード１１０の保持を行う際の作業性が十分に向上される。
【００３１】
このように、この測定器用ホルダ１では、挿通孔１４側に位置する一方の側面３ｃにおける一端部３ａ側から他方の側面３ｄにおける他端部３ｂ側に向けて形成されて両側面３ａ，３ｄ間を斜めに横断する状態でケーブル１１１を配置可能な切り欠き３ｅによって分割された第１巻き付け部２１および第２巻き付け部２２を備えて巻き付け部３が構成され、その切り欠き３ｅに繋がる案内溝１５が形成されている。このため、この測定器用ホルダ１では、ケーブル１１１の巻始めにおいて、ケーブル１１１を案内溝１５に沿わせることで、巻き付け部３を斜めに横断させてケーブル１１１を巻き付け部３における側面３ｄの他端部３ｂ側に到達させることができる。したがって、ケーブル１１１を巻き付け部３に巻き付ける際の巻き方向が、ケーブル１１１の長さを規定する際に前提とした巻き方向（例えば左巻き）に自然に定まって、逆の巻き方向（例えば右巻き）での巻き付けが行われる事態を確実に防止することができる。この結果、ケーブル１１１の長さ不足や余りを生じさせることなく、プローブ部１１２を第１プローブ保持部４に確実に保持させることができる。したがって、この測定器用ホルダ１によれば、巻き方向の誤りに起因してケーブル１１１を巻き直す無駄な作業の発生を確実に防止することができるため、測定器１００の収容およびテストリード１１０の保持を行う際の作業性を十分に向上することができる。
【００３２】
また、この測定器用ホルダ１によれば、巻き付け部３の上端部にフランジ２３を配設したことにより、巻き付け部３に巻き付けたケーブル１１１の脱落を確実に防止することができる。
【００３３】
また、この測定器用ホルダ１によれば、ケーブル保護用の保護壁１６を側壁１２の外面１２ｂにおける第２貫通孔１４ｂの縁部に配設したことにより、挿通孔１４に挿通されて外面１２ｂ側に露出したケーブル１１１を確実に保護することができる。
【００３４】
また、この測定器用ホルダ１によれば、プローブ部１１２のプローブピン１１２ｂを測定器用ホルダ１から突出させた状態で保持する第２プローブ保持部５を底壁１１の外面１１ｂに配設したことにより、測定器１００が収容されている測定器用ホルダ１を持つ一方の手で測定対象体に対して一方のプローブピン１１２ｂを接触させることができるため、測定時の操作性を十分に高めることができる。
【００３５】
なお、携帯型の小形測定器を収容する構成例について上記したが、収容対象の測定器はこれに限定されず、各種の形態の測定器を収容する測定器用ホルダに適用することができる。また、接触端子の一例としてのプローブ部１１２を保持する第１プローブ保持部４を備えた構成例について上記したが、プラグ型の接触端子やクリップ型の接触端子を保持する端子保持部を備えた構成を採用することもできる。また、測定器用ホルダ１を構成する材料としては、上記したエラストマーやゴムに限定されず、樹脂や金属、およびこれらの複合材料を用いることもできる。
【符号の説明】
【００３６】
１  測定器用ホルダ
３  巻き付け部
３ａ  一端部
３ｂ  他端部
３ｃ，３ｄ  側面
３ｅ  切り欠き
４  プローブ保持部
５  突出用プローブ保持部
１１  底壁
１１ａ，１２ｂ  内面
１１ｂ，１２ｂ  外面
１２  側壁
１４  挿通孔
１５  案内溝
１６  保護壁
２１  第１巻き付け部
２２  第２巻き付け部
２３  フランジ
５１  収容部
５２ａ  隅部
１００  測定器
１１０  テストリード
１１１  ケーブル
【図１】
2010286348.tif 000003
【図２】
2010286348.tif 000004
【図３】
2010286348.tif 000005
【図４】
2010286348.tif 000006
【図５】
2010286348.tif 000007
【図６】
2010286348.tif 000008
【図７】
2010286348.tif 000009
【図８】
2010286348.tif 000010
【図９】
2010286348.tif 000011
【図１０】
2010286348.tif 000012
【図１１】
2010286348.tif 000013
【図１２】
2010286348.tif 000014